(57)【要約】【課題】物品が陳列棚になくても物品の見映えを劣化させず、さらに物品の見映えを際立たせる点灯制御システムを提供する。【解決手段】点灯制御システムは、スポット照明する照明器具１０と、載置面の外から載置面上に対象物が移動されたことを検知する動き検知装置２０と、載置面上に対象物が移動されたことが検知されたとき、対象物にスポット照明を開始するように照明器具１０を制御する制御装置３０とを備える。【選択図】図１
2016167435.tif 000002
【特許請求の範囲】
【請求項１】
スポット照明する照明器具と、
載置面の外から前記載置面上に対象物が移動されたことを検知する動き検知装置と、
前記載置面上に対象物が移動されたことが検知されたとき、前記対象物にスポット照明を開始するように前記照明器具を制御する制御装置と
を備える
点灯制御システム。
【請求項２】
前記制御装置は、前記スポット照明を開始後、照度を徐々に高めるよう前記照明器具を制御する
請求項１に記載の点灯制御システム。
【請求項３】
前記制御装置は、前記スポット照明の略中心を前記対象物の略中心に合わせるように前記照明器具を制御する
請求項１または２に記載の点灯制御システム。
【請求項４】
前記検知装置は、
距離を測定する距離センサと、
前記距離センサにより測定された距離に基づいて前記対象物の移動を検知する動き検知部とを備える
請求項１〜３の何れか１項に記載の点灯制御システム。
【請求項５】
前記検知装置は、前記載置面を撮像するイメージセンサと、
前記イメージセンサにより撮像された画像に基づいて前記対象物の移動を検知する動き検知部とを備える
請求項１〜３の何れか１項に記載の点灯制御システム。
【請求項６】
前記動き検知部は、前記対象物とすべき物品の特徴として、形状、大きさおよび色の少なくとも１つを示す特徴データを記憶し、前記特徴データに合致する物品を前記対象物として検知する
請求項５に記載の点灯制御システム。
【請求項７】
前記照明器具は、前記スポット照明の照射方向およびスポット径の少なくとも１つを変更可能であり、
前記制御装置は、前記対象物のサイズに合わせるように徐々にスポット径を小さくさせ、または、前記対象物の位置に照射方向を合わせるように前記照明器具を制御する
請求項１〜６の何れか１項に記載の点灯制御システム。
【請求項８】
前記点灯制御システムは、複数の前記照明器具を備え、
前記制御装置は、複数のスポット照明を前記対象物に当てるように複数の前記照明器具のそれぞれを制御する
請求項１〜７の何れか１項に記載の点灯制御システム。
【請求項９】
前記制御装置は、照度および色温度の少なくとも一方が互いに異なるように複数の前記照明器具のそれぞれを制御する
請求項８に記載の点灯制御システム。
【請求項１０】
前記制御装置は、照度、色温度、スポット照明の径の少なくとも１つを徐々に繰り返し変化させるように複数の前記照明器具のそれぞれを制御する
請求項８または９に記載の点灯制御システム。
【請求項１１】
前記点灯制御システムは、店舗に設置され、
前記載置面は、前記物品を置いて客に提示するための、テーブルの上面、売り台の上面および展示台の上面の何れかである
請求項１〜１０の何れか１項に記載の点灯制御システム。
【請求項１２】
前記物品は、貴金属の装飾品、宝石および腕時計の何れかである
請求項１〜１１の何れか１項に記載の点灯制御システム。
【請求項１３】
前記物品は、飲食物および食器である
請求項１〜１１の何れか１項に記載の点灯制御システム。
【発明の詳細な説明】
【技術分野】
【０００１】
本発明は、点灯制御システムに関する。
【背景技術】
【０００２】
特許文献１は、陳列物の色調を識別し、その識別結果に応じて可変色光源によって照射される可変色光の分光分布を制御する棚照明システムを開示している。
【先行技術文献】
【特許文献】
【０００３】
【特許文献１】特開２００９−２８４９１号公報
【発明の概要】
【発明が解決しようとする課題】
【０００４】
特許文献１は、陳列棚に並ぶ複数の物品の見映えを良くする適切な照明がなされるが、陳列棚から取り出されると適切な照明がなされなくなり見映えが劣化する。
【０００５】
本発明は、物品が陳列棚になくても物品の見映えを劣化させず、さらに物品の見映えを際立たせる点灯制御システムを提供することを目的とする。
【課題を解決するための手段】
【０００６】
上記目的を達成するために、本発明に係る点灯制御システムの一形態は、スポット照明する照明器具と、載置面の外から前記載置面上に対象物が移動されたことを検知する動き検知装置と、前記載置面上に対象物が移動されたことが検知されたとき、前記対象物にスポット照明を開始するように前記照明器具を制御する制御装置とを備える。
【発明の効果】
【０００７】
本発明に係る点灯制御システムによれば、物品が陳列棚になくても物品の見映えを劣化させず、さらに物品の見映えを際立たせることができる。
【図面の簡単な説明】
【０００８】
【図１】図１は、実施の形態における点灯制御システムの構成例を示すブロック図である。
【図２】図２は、実施の形態における点灯制御システムの配置例を示す模式である。
【図３】図３は、実施の形態における点灯制御システムの他の配置例を示す模式図である。
【図４】図４は、実施の形態における点灯制御システムのさらに他の配置例を示す模式図である。
【図５】図５は、実施の形態における点灯制御処理のフローチャート例を示す図である。
【図６】図６は、実施の形態における点灯制御システムの他の構成例を示すブロック図である。
【発明を実施するための形態】
【０００９】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１０】
（実施の形態１）
［構成例］
まず、図１〜図４を用いて本実施の形態における点灯制御システムの構成について説明する。
【００１１】
図１は、実施の形態における点灯制御システムの構成例を示すブロック図である。また、図２〜図４はそれぞれ、実施の形態における点灯制御システムの配置例を示す模式図である。
【００１２】
図１の点灯制御システムは、複数の照明器具１０、複数の検知装置２０、および制御装置３０を備える。
【００１３】
複数の照明器具１０のそれぞれは、載置面上にスポット照明する。例えば、照明器具１０は、図２では、載置面としてのテーブル上面の全部を含む照明エリア１０ａ内にスポットによる照明を行う。照明が照射されるスポットは、照明エリア１０ａ内で配光方向、スポット径を変更可能である。
【００１４】
検知装置２０は、載置面の外から載置面上に対象物が移動されたことを検知する。図２では、検知装置２０は、照明器具１０と同様に店舗の天井に設置される。検知装置２０の検知エリア２０ａは、図２のように照明エリア１０ａよりも広く設定される。これは、載置面（つまりテーブル等）の外から中への、または中か外への対象物の移動を検知するためである。対象物は、図３では、対面販売用のカウンタ台の上面に置かれ、店員から客に提示された商品である。図４では、テーブル上に置かれたワイングラスや、ディッシュである。商品は、図３では香水が例示されているが、例えば、貴金属の装飾品、宝石、腕時計、図４のような飲食物および食器（グラス、ディッシュ等）でもよい。
【００１５】
制御装置３０は、載置面上に対象物が移動されたことが検知されたとき、対象物にスポット照明を開始するように照明器具１０を制御する。これにより、対象物が陳列棚になくても対象物の見映えを劣化させず、さらに物品の見映えを際立たせることができる。
【００１６】
例えば、制御装置３０は、スポット照明を開始後、照度を徐々に高めるよう照明器具１０を制御する。このとき、制御装置３０は、スポット照明の略中心を前記対象物の略中心に合わせるようにスポット照明の方向、スポット径を制御する。このように、制御装置３０は、徐々に照度を高める照明演出をするので、照明光を意識させずに物品の見映えを際立たせることができる。
【００１７】
［照明器具の構成例］
次に、図１の照明器具１０の構成例について説明する。
【００１８】
複数の照明器具１０のそれぞれは、光源ユニット１１０、点灯回路１１１、制御回路１１２、通信部１１３、記憶部１１４、電源回路１１５、および配光制御部１１６を備える。
【００１９】
光源ユニット１１０は、１以上の発光素子を備える。１以上の発光素子は、例えば、複数のＬＥＤ（Light Emitting Diode）素子である。なお、１以上の発光素子は、ＬＥＤ素子に限定されない。光源ユニット１１０は、例えば、半導体レーザ等の半導体発光素子、有機ＥＬ（Electro Luminescence）または無機ＥＬ等の固体発光素子を有してもよい。また、光源ユニット１１０は、スポット照明可能ないわゆるダウンライト型でよい。
【００２０】
点灯回路１１１は、光源ユニット１１０の点灯、点滅、消灯等に対応する電圧または電流を光源ユニット１１０に供給する。この電圧または電流は、光源ユニット１１０が複数のＬＥＤ素子である場合、例えば、調光比、調色比等の照明態様に応じて異なる。
【００２１】
制御回路１１２は、複数の照明態様に対応して点灯回路１１１を制御する。また、制御回路１１２は、照明器具１０の複数の機能のそれぞれを実現する制御を行う。複数の機能には、例えば、明るさを調節する調光機能、色温度を調節する調色機能、時間をかけて明るさを調節するフェード機能、等々がある。制御回路１１２は、制御装置３０から通信部１１３を介して受信したコマンドに従う。
【００２２】
通信部１１３は、制御装置３０と通信する。通信部１１３は、制御装置３０から調光、調色、スポット照明の方向、スポット径等を指示するコマンドを受信する。図２では、通信部１１３は有線通信を行う例を示しているが、無線通信であってもよい。
【００２３】
記憶部１１４は、通信部１１３により受信されたコマンドまたはデータ等を記憶する。
【００２４】
電源回路１１５は、照明器具１０内の各部に電源を供給する。
【００２５】
配光制御部１１６は、照明器具１０によるスポット照明の配光方向およびスポット径の変更を制御する。スポット照明は、図２に示したように、照明エリア１０ａの範囲内で配光方向およびスポット径が可変である。配光制御部１１６は、制御装置３０から通信部１１３を介して受信したコマンドに従う。
【００２６】
［検知装置の構成例］
次に、図１の検知装置２０の構成例について説明する。
【００２７】
複数の検知装置２０のそれぞれは、センサ２１、動き検知部２２、および通信部２３を備える。
【００２８】
センサ２１は、例えば、距離センサまたはイメージセンサである。距離センサとしてのセンサ２１は、載置面までの距離を測定する。載置面に対象物が移動されると測定距離に変化が生じる。距離センサは、例えば、ミリ波センサ、ＰＩＲ（Passive Infrared Ray）センサ等である。
【００２９】
また、イメージセンサとしてのセンサ２１は、載置面を撮像する。イメージセンサは、例えば、ＣＭＯＳ（Complementary Metal Oxide Semiconductor）イメージセンサ、ＣＣＤ（Charge Coupled Device）イメージセンサ等である。載置面に対象物が移動されると、載置面上の対象物も撮像される。
【００３０】
動き検知部２２は、距離センサにより測定された距離に基づいて前記対象物の移動を検知する。あるいは、動き検知部２２は、イメージセンサにより撮像された画像に基づいて前記対象物の移動を検知する。
【００３１】
動き検知部２２は、センサ２１がイメージセンサである場合、対象物とすべき物品の特徴として、形状、大きさおよび色の少なくとも１つを示す特徴データ２２ａを予め記憶する。動き検知部２２は、特徴データ２２ａに合致する物品を対象物として検知可能である。こうすれば、対象物でない物品（例えば鉛筆、メモ紙、注文書、名刺等）が載置面に置かれたときの誤動作を防止することができる。
【００３２】
通信部２３は、動き検知部２２による動き検知結果およびイメージセンサの画像を制御装置３０に送信する。
【００３３】
［制御装置の構成例］
次に、図１の制御装置３０の構成例について説明する。
【００３４】
制御装置３０は、ＣＰＵ３１０、メモリ３１１、通信部３１２、および操作部３１３を備える。
【００３５】
ＣＰＵ３１０は、メモリ３１１に記憶されたプログラムを実行することによって、複数の照明器具１０におけるスポット照明の点灯制御を行う。
【００３６】
メモリ３１１は、プログラムおよびデータを記憶する。メモリ３１１に記憶されたプログラムは、点灯制御プログラム３１を含む。点灯制御プログラム３１は、動き検知部２２によって検知された対象物に対して、対象物を際立たせるためのスポット照明を制御するためのプログラムである。メモリ３１１に記憶されたデータは、載置面と照明器具１０と検知装置２０とを対応付けたデータである。載置面と照明器具１０とは１対１でもよいし、１対多でもよい。載置面と検知装置２０とは１対１でもよいし、多対１でもよい。
【００３７】
通信部３１２は、通信部２３から動き検知結果を受信し、ＣＰＵ３１０に動き検知結果を通知する。
【００３８】
操作部３１３は、点灯制御に関するユーザ操作を受け付ける。
【００３９】
［動作］
上記のように構成された本実施の形態における点灯制御システムについて、以下その動作を説明する。
【００４０】
図５は、実施の形態における点灯制御処理のフローチャート例を示す図である。
【００４１】
図５において動き検知部２２は、載置面の外から前記載置面上に物品が移動されたことを検知すると（Ｓ５１でｙｅｓ）、その物品が対象物とすべき特長と一致するか否か判定を判定し、一致する場合には（Ｓ５２でｙｅｓ）、載置面の外から前記載置面上に対象物が移動されたことを検知したことを、通信部２３を介して制御装置３０に通知する。載置面は、例えば、図２〜図４に示したように台、カウンタ、テーブル等のように物品を載せておく場所である。なお、載置面に移動する物品が限定されている場合には、ステップＳ５２は省略してもよい。
【００４２】
制御装置３０は、複数の照明器具１０の中から、通知をした検知装置２０が検知した載置面をスポット照明可能な１つまたは複数の照明器具１０を選択し（Ｓ５３）、イメージセンサの画像から対象物の外形、位置、色等を判別し（Ｓ５４）、選択した照明器具１０毎に照明方向およびスポット径を決定する（Ｓ５５）。さらに、制御装置３０は、選択した照明器具１０毎に照明方向およびスポット径を指示してスポット照明を開始させ、照度を徐々に高めるように照明器具１０を制御する（Ｓ５６）。このとき、制御装置３０は、スポット径を徐々に狭めてもよいし、色温度を徐々に変化させてもよい。センサ２１として、イメージセンサが用いられていない場合には、Ｓ５４は省略してもよい。
【００４３】
制御装置３０は、照度が十分高くなった後、照明器具毎に照明光を徐々に変化させるよう制御する（Ｓ５７）。この制御では、例えば、照度、色温度、スポット照明の径の少なくとも１つを徐々に繰り返し変化させる。また、選択した照明器具１０が複数ある場合には、制御装置３０は、複数のスポット照明を対象物に当てるように複数の照明器具１０のそれぞれを制御する。このとき、制御装置３０は、照度および色温度の少なくとも一方が互いに異なるように複数の照明器具１０のそれぞれを制御してもよい。こうすれば、対象物の見映えを際立たせ、さらに、見映えを徐々に変化させることができる。例えば、対象物が、貴金属、宝石、装飾品等であれば、キラキラと光輝く見映えを際立たせるだけでなく、キラキラ感を徐々に変化させることができる。
【００４４】
ステップＳ５７のスポット照明と同時に検知装置２０は、対象物が載置面上を移動されたか（Ｓ５８）、および載置面の外に移動されたか（Ｓ５９）を判定する。
【００４５】
制御装置３０は、対象物が載置面上を移動し、かつ載置面の外まで移動していない場合に（Ｓ５９でｎｏ）、イメージセンサの画像から対象物の外形、位置、色等を判別し、選択した照明器具１０毎に照明方向およびスポット径を決定し（Ｓ６０）、この決定にしたがってステップＳ５７を行う。
【００４６】
また、制御装置３０は、対象物が載置面の外まで移動した場合（Ｓ５９でｙｅｓ）、選択した照明器具１０毎に徐々に、消灯するまで照度を暗くするフェードアウトさせる（Ｓ６１）。
【００４７】
以上のように、本実施の形態における点灯制御システムによれば、物品が陳列棚になくても物品の見映えを劣化させず、さらに物品の見映えを際立たせることができる。
【００４８】
［他の構成例］
次に、点灯制御システムの他の構成例について説明する。図６は、実施の形態における点灯制御システムの他の構成例を示すブロック図である。同図は、図１と比べて、動き検知部２２が検知装置２０内ではなく制御装置３０内に備えられる点が異なる。以下、異なる点を中心に説明する。
【００４９】
図１では、複数の検知装置２０のそれぞれが動き検知部２２を備えている。この場合、動き検知部２２と検知装置２０とが１対１で対応し、検知装置２０毎に独立して対象物の移動を検知することができる。このような図１の構成は、検知装置２０の数が多い場合に適している。
【００５０】
これに対して、図６では、制御装置３０が動き検知部２２を備える。こうすれば、動き検知部２２は制御装置３０内の１つにすることができる。この構成は、動き検知部２２の処理能力が高い場合や、検知装置２０の数が多くない場合に適している。
【００５１】
なお、上記実施の形態において、検知装置２０は、照明器具１０に備えられてもよい。この場合、撮像範囲は照明領域を含んでいればよく、撮像範囲と照明領域とを１対１に対応させてもよい。
【００５２】
以上のように本実施の形態に係る点灯制御システムは、スポット照明する照明器具１０と、載置面の外から載置面上に対象物が移動されたことを検知する動き検知装置２０と、載置面上に対象物が移動されたことが検知されたとき、対象物にスポット照明を開始するように照明器具１０を制御する制御装置３０とを備える。
【００５３】
これによれば、物品が陳列棚になくても物品の見映えを劣化させず、さらに物品の見映えを際立たせることができる。例えば、対象物が、貴金属、宝石、装飾品等であれば、見映えを際立たせる際に、キラキラと光り輝く見映えを照明により演出することができる。
【００５４】
ここで、制御装置３０は、スポット照明を開始後、照度を徐々に高めるよう照明器具１０を制御してもよい。
【００５５】
これによれば、照明光の急激な変化による違和感を抑制し、照明光を意識させずに対象物の見映えを際立たせることができる。
【００５６】
ここで、制御装置３０は、スポット照明の略中心を対象物の略中心に合わせるように照明器具１０を制御してもよい。
【００５７】
これによれば、対象物に対して必要最小限の照明範囲にすることにより対象物を際立たせることができる。
【００５８】
ここで、検知装置２０は、距離を測定する距離センサ（センサ２１）と、距離センサにより測定された距離に基づいて対象物の移動を検知する動き検知部２２とを備えてもよい。
【００５９】
これによれば、検知装置に安価な距離センサを利用できる。
【００６０】
ここで、検知装置２０は、載置面を撮像するイメージセンサ（センサ２１）と、イメージセンサにより撮像された画像に基づいて対象物の移動を検知する動き検知部２２とを備えしてもよい。
【００６１】
これによれば、対象物の位置、形状等の検出精度を高くすることができる。
【００６２】
ここで、動き検知部２２は、対象物とすべき物品の特徴として、形状、大きさおよび色の少なくとも１つを示す特徴データを記憶し、特徴データに合致する物品を対象物として検知してもよい。
【００６３】
これによれば、対象物でない物品（例えば鉛筆、メモ紙、注文書、名刺等）が載置面に置かれたときの誤照明を防止することができる。
【００６４】
ここで、照明器具１０は、スポット照明の照射方向およびスポット径の少なくとも１つを変更可能であり、制御装置３０は、対象物のサイズに合わせるように徐々にスポット径を小さくさせ、または、対象物の位置に照射方向を合わせるように照明器具１０を制御してもよい。
【００６５】
これによれば、対象物へのスポット照明を絞り込む照明演出をすることができる。
【００６６】
ここで、点灯制御システム１は、複数の照明器具１０を備え、制御装置３０は、複数のスポット照明を対象物に当てるように複数の照明器具１０のそれぞれを制御してもよい。
【００６７】
これによれば、複数のスポット照明より、対象物をより一層際立たせることができる。
【００６８】
ここで、制御装置３０は、照度および色温度の少なくとも一方が互いに異なるように複数の照明器具１０のそれぞれを制御してもよい。
【００６９】
これによれば、複数の異なるスポット照明により多彩な照明効果を演出することができる。
【００７０】
ここで、制御装置３０は、照度、色温度、スポット照明の径の少なくとも１つを徐々に繰り返し変化させるように複数の照明器具１０のそれぞれを制御してもよい。
【００７１】
これによれば、対象物の見映えを際立たせ、さらに、見映えを徐々に変化させることができる。例えば、対象物が、貴金属、宝石、装飾品等であれば、キラキラと光輝く見映えを際立たせるだけでなく、キラキラ感を徐々に変化させることができる。
【００７２】
ここで、点灯制御システムは、店舗に設置され、前記載置面は、物品を置いて客に提示するための、テーブルの上面、売り台の上面および展示台の上面の何れかであってもよい。
【００７３】
これによれば、対象物つまり商品の価値を極力引き出すことができる。
【００７４】
ここで、前記物品は、貴金属の装飾品、宝石および腕時計の何れかであってもよい。
【００７５】
これによれば、対象物のキラキラと光り輝く見映えを十分に引き出すことができる。
【００７６】
ここで、前記物品は、飲食物および食器であってもよい。
【００７７】
これによれば、飲食物および食器の見映えを際立たせることができる。
【００７８】
以上、本発明に係る点灯制御システムついて、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【符号の説明】
【００７９】
１０  照明器具
２０  検知装置
２１  センサ（距離センサ、イメージセンサ））
２２  動き検知部
３０  制御装置
【図１】
2016167435.tif 000003
【図５】
2016167435.tif 000004
【図６】
2016167435.tif 000005
【図２】
2016167435.tif 000006
【図３】
2016167435.tif 000007
【図４】
2016167435.tif 000008